(57)【要約】      （修正有）【課題】削りカスを捨て易く、簡易で軽量な構造で製造できる、鉛筆削りを提供する。【解決手段】刃を回転することにより鉛筆を削る削り部３０と、削り部を内包して支持するケーシング１０と、ケーシングの内部に削り部で削られた鉛筆から生ずる削りカスを収容する空間を形成し、削りカスを排出する開口が設けられた、削りカス収容部４０と、ケーシングにより回動またはスライド可能に支持され、削りカス収容部の開口を塞ぐ蓋７０と、蓋を削りカス収容部の開口を塞ぐ位置に留める蓋ストッパー７２、７４と、蓋ストッパーが蓋を開口を塞ぐ位置に留めることがないようにするための力を得る蓋ストッパー操作部５０、５２と、蓋ストッパーと蓋ストッパー操作部との間に設けられ、蓋ストッパー操作部に作用した力を蓋または蓋ストッパーに伝達し、蓋ストッパーが蓋を開口を塞ぐ位置に留めることがないようにする蓋ストッパー連係部５８、６０、６２とを備える。【選択図】図３
2018187827.tif 000002
【特許請求の範囲】
【請求項１】
刃を回転することにより鉛筆を削る削り部と；
前記削り部を内包して支持するケーシングと；
前記ケーシングの内部に、前記削り部で削られた鉛筆から生ずる削りカスを収容する空間を形成し、前記削りカスを排出する開口が設けられた、削りカス収容部と；
前記ケーシングにより回動可能またはスライド可能に支持され、前記削りカス収容部の開口を塞ぐ蓋と；
前記蓋を前記削りカス収容部の開口を塞ぐ位置に留める蓋ストッパーと；
前記蓋を前記削りカス収容部の開口を塞ぐ位置から動けるように、前記蓋ストッパーが前記蓋を前記削りカス収容部の開口を塞ぐ位置に留めることがないようにするための力を得る蓋ストッパー操作部と；
前記蓋ストッパーと前記蓋ストッパー操作部との間に設けられ、前記蓋ストッパー操作部に作用した力を前記蓋または前記蓋ストッパーに伝達し、前記蓋ストッパーが前記蓋を前記削りカス収容部の開口を塞ぐ位置に留めることがないようにする蓋ストッパー連係部とを備える；
鉛筆削り。
【請求項２】
前記蓋ストッパーは、前記蓋に支持され、前記ケーシングと係合することにより前記蓋を前記削りカス収容部の開口を塞ぐ位置に留め、
前記蓋ストッパー操作部は、前記係合を解除するために、前記蓋ストッパーに作用する力を得て、
前記蓋ストッパー連係部は、前記蓋ストッパー操作部に作用した力を前記蓋ストッパーに伝達し、前記蓋ストッパーを動かして前記ケーシングとの係合を解除する、
請求項１に記載の鉛筆削り。
【請求項３】
前記蓋ストッパーは、前記蓋に固定され変形可能な軸部と、該軸部の先端に配置され前記ケーシングと係合する爪とを有し、該爪は前記軸部の先端側の面と反対側に前記軸部の軸方向に対し傾斜する傾斜面を有しており、
前記蓋ストッパー連係部は、前記蓋ストッパー操作部が操作されることにより、前記蓋ストッパーの前記傾斜面を押して前記軸部を変形させて前記爪を動かし、前記蓋ストッパーと前記ケーシングとの係合を解除する、
請求項２に記載の鉛筆削り。
【請求項４】
前記蓋ストッパー操作部が押しボタンである、
請求項１ないし３に記載の鉛筆削り。
【請求項５】
前記押しボタンに押圧防止具を備え、
前記押圧防止具は、
前記押しボタンが押される方向に前記押しボタンと一緒に変位し、前記押しボタンを押す方向と直交する方向にスライド可能な押圧防止板と、
前記押圧防止板を前記押しボタンが押される方向に動かないように支持する押圧支持部とを有し、
前記押圧防止板には、切欠きまたは穴が形成され、前記押圧防止板をスライドさせることにより前記切欠きまたは穴が前記押圧支持部の位置へと動き、前記押圧防止板が前記押圧支持部に支持されなくなる、
請求項４に記載の鉛筆削り。
【請求項６】
前記押圧防止板は、スライドする方向に変形可能なバネ部を有し、
前記押圧防止板は、スライドさせる力がなくなると元の位置に戻る、
請求項５に記載の鉛筆削り。
【請求項７】
前記削り部は、水平方向に鉛筆を挿入するように配置され、
前記ケーシングには、前記削り部より上方に該鉛筆削りを把持するための把持部が設けられ、
前記蓋ストッパー操作部は、前記削り部より上方に配置される；
請求項１ないし６のいずれか１項に記載の鉛筆削り。
【請求項８】
前記蓋ストッパー操作部が、前記把持部に配置される；
請求項７に記載の鉛筆削り。
【請求項９】
前記蓋は、回動可能にケーシングに支持され、
前記ケーシングには、前記開口の外周と隙間を有して前記開口を囲む溝が形成され、さらに、前記溝より外側の外面に窪みが形成され、また、前記蓋が前記ケーシングに支持された位置から前記溝より離れたところに第２溝が形成され；
前記蓋は前記開口より大きな板状に形成され、前記開口を囲む溝に嵌まる凸条部を有し、さらに、前記ケーシングの溝より外側の外面の窪みに嵌まる折り曲げ部を有し、また、前記第２溝に嵌まる第２凸条部を有する；
請求項１ないし８のいずれか１項に記載の鉛筆削り。
【請求項１０】
前記蓋は、前記削り部を挟んで前記把持部とは反対側に配置され、
前記蓋ストッパー操作部は、前記鉛筆が挿入される方向において、該鉛筆削りの重心より片側にずれた位置に配置され、
前記蓋は、前記鉛筆が挿入される方向において、前記蓋ストッパー操作部が配置された位置と反対側の端部で回動可能に支持される、
請求項９に記載の鉛筆削り。
【請求項１１】
前記蓋を前記削りカス収容部の開口を開いた位置に付勢するバネをさらに備える、
請求項９または１０に記載の鉛筆削り。
【発明の詳細な説明】
【技術分野】
【０００１】
本発明は、鉛筆削りに関する。特に削りカスを捨て易い鉛筆削りに関する。
【背景技術】
【０００２】
従来、卓上で使用する鉛筆削りにおいては、手動式、電動式を問わず、削りカスは鉛筆削りの刃の下に挿入した削りカス受け容器に受け入れている。削りカスが一杯になると削りカス受け容器を鉛筆削りから引き出して、削りカスをゴミ箱等に捨て、また、鉛筆削りに挿入する。このように、削りカスが一杯になった削りカス受け容器を引き出し、ゴミ箱等に捨てるとすると、削りカス受け容器を引き出す際に削りカスが周囲にこぼれたり、削りカスが一杯になった削りカス受け容器をゴミ箱まで運ぶ際にも、削りカスがこぼれることがあり、周囲や手を汚してしまうという問題があった。
【０００３】
そこで、鉛筆削りの底部に削りカスを受止める削りカス受け部を設け、かつ、削りカス受け部に蝶番で止められた蓋を設け、蓋を開閉することにより削りカスを捨てられる鉛筆削りが提案されている（特許文献１）。
【先行技術文献】
【特許文献】
【０００４】
【特許文献１】実開昭６２−１２１９９７号公報
【発明の概要】
【発明が解決しようとする課題】
【０００５】
しかし、特許文献１に記載された発明では、蓋に固着した突起を、鉛筆削り本体上でスライドするスライド部で挟むことにより、蓋が開かない構造としている。そのために、削りカスを捨てるときには、ゴミ箱等の上で片方の手で鉛筆削りを持って、反対の手でスライド部をずらして蓋を開ける必要がある。さらに、スライド部が突起に緩く嵌まるようにすると、意図しないときに蓋が開いてしまう可能性があり、逆にスライド部が突起にきつく嵌まるようにすると、スライド部をスライドさせる際に力が入って鉛筆削りを揺らし、削りカスが飛び散ってしまうこともある。このように、特許文献１に記載された鉛筆削りは、まだ扱い易いとは言えないものであった。
【０００６】
そこで、本発明は、削りカスを捨て易く、かつ、簡易で軽量な構造で安価に製造できる、鉛筆削りを提供することを目的とする。
【課題を解決するための手段】
【０００７】
本発明の第１の態様に係る鉛筆削り１は、例えば図１〜４および９に示すように、刃を回転することにより鉛筆を削る削り部３０と、削り部３０を内包して支持するケーシング１０と、ケーシング１０の内部に、削り部３０で削られた鉛筆から生ずる削りカスを収容する空間を形成し、削りカスを排出する開口４２が設けられた、削りカス収容部４０と、ケーシング１０により回動可能またはスライド可能に支持され、削りカス収容部４０の開口４２を塞ぐ蓋７０と、蓋７０を削りカス収容部４０の開口４２を塞ぐ位置に留める蓋ストッパー７２、７４と、蓋７０を削りカス収容部４０の開口４２を塞ぐ位置から動けるように、蓋ストッパー７２、７４が蓋７０を削りカス収容部４０の開口４２を塞ぐ位置に留めることがないようにするための力を得る蓋ストッパー操作部５０、５２と、蓋ストッパー７２、７４と蓋ストッパー操作部５０、５２との間に設けられ、蓋ストッパー操作部５０に作用した力を蓋７０または蓋ストッパー７４に伝達し、蓋ストッパー７２、７４が蓋７０を削りカス収容部４０の開口４２を塞ぐ位置に留めることがないようにする蓋ストッパー連係部５８、６０、６２とを備える。
【０００８】
このように構成すると、蓋ストッパー操作部に作用した力を、蓋ストッパー連係部を介して蓋または蓋ストッパーに伝達し、蓋ストッパーが蓋を削りカス収容部の開口を塞ぐ位置に留めることがないようにし、蓋を開くことができるので、簡易で軽量な構造で安価に、蓋を開いて削りカスを捨て易い鉛筆削りとなる。
【０００９】
本発明の第２の態様の鉛筆削り１では、例えば図３および４に示すように、蓋ストッパー７２、７４は、蓋７０に支持され、ケーシング１０と係合することにより蓋７０を削りカス収容部４０の開口４２を塞ぐ位置に留め、蓋ストッパー操作部５０は、係合を解除するために、蓋ストッパー７２、７４に作用する力を得て、蓋ストッパー連係部５８、６０、６２は、蓋ストッパー操作部５０に作用した力を蓋ストッパー７２、７４に伝達し、蓋ストッパー７２、７４を動かしてケーシング１０との係合を解除する。このように構成すると、蓋ストッパーとケーシングが係合して蓋を削りカス収容部の開口を塞ぐ位置に留めるので、蓋がしっかりと閉じられる。さらに、ストッパー操作部に作用した力を、蓋ストッパー連係部を介しては蓋ストッパーに伝達し、蓋ストッパーを動かして、蓋ストッパーとケーシングとの係合を解除し、蓋を開くことができるので、簡易で軽量な構造で安価に、蓋を開いて削りカスを捨て易い鉛筆削りとなる。
【００１０】
本発明の第３の態様の鉛筆削り１では、例えば図３および４に示すように、蓋ストッパー７２、７４は、蓋７０に固定され変形可能な軸部７２と、軸部７２の先端に配置されケーシング１０と係合する爪７４とを有し、爪７４は軸部７２の先端側の面と反対側に軸部７２の軸方向に対し傾斜する傾斜面を有しており、蓋ストッパー連係部５８、６０、６２は、蓋ストッパー操作部５０、５２が操作されることにより、蓋ストッパー７４の傾斜面を押して軸部７２を変形させて爪７４を動かし、蓋ストッパー７４とケーシング１０との係合を解除する。このように構成すると、蓋ストッパー操作部の操作により、蓋ストッパー連係部が蓋ストッパーの傾斜面を押して軸部を変形させて爪を動かし、蓋ストッパーとケーシングとの係合を解除するので、簡易で軽量で安価に、蓋を開く構造とすることができる。
【００１１】
本発明の第４の態様の鉛筆削り１では、例えば図３に示すように、蓋ストッパー操作部が押しボタン５０である。このように構成すると、蓋ストッパー操作部が押しボタンであるので、蓋を開くための操作をし易い鉛筆削りとなる。
【００１２】
本発明の第５の態様の鉛筆削り１では、例えば図５〜８に示すように、押しボタン５０に押圧防止具５２、５６を備え、押圧防止具５２は、押しボタン５０が押される方向に押しボタン５０と一緒に変位し、押しボタン５０を押す方向と直交する方向にスライド可能な押圧防止板５２と、押圧防止板５２を押しボタン５０が押される方向に動かないように支持する押圧支持部５６とを有し、押圧防止板５２には、切欠き５４または穴が形成され、押圧防止板５２をスライドさせることにより切欠き５４または穴が押圧支持部５６の位置へと動き、押圧防止板５２が押圧支持部５６に支持されなくなる。このように構成すると、押圧防止板を押圧支持部に支持されなくなる位置に動かさないと、押しボタンを押して蓋を開くことができないので、意図しないで押しボタンを押して蓋が開いてしまう誤作動を防止できる。
【００１３】
本発明の第６の態様の鉛筆削り１では、例えば図５〜８に示すように、押圧防止板５２は、スライドする方向に変形可能なバネ部５３を有し、押圧防止板５２は、スライドさせる力がなくなると元の位置に戻る。このように構成すると、スライドさせる力がなくなると、バネ部により元の位置、すなわち、押圧防止板が押圧支持部により下方に変位できないように支持される位置に戻るので、意図しないで押しボタンを押して蓋が開いてしまう誤作動を防止できる。
【００１４】
本発明の第７の態様の鉛筆削り１では、例えば図１、３および４に示すように、削り部３０は、水平方向に鉛筆を挿入するように配置され、ケーシング１０には、削り部３０より上方に鉛筆削りを把持するための把持部２０が設けられ、蓋ストッパー操作部５０、５２は、削り部３０より上方に配置される。このように構成すると、蓋ストッパー操作部が把持部の近くに配置されるので、片手で操作することができる。なお、「削り部より上方」とは、卓上に置いた状態で削り部の重心より上方を指す。
【００１５】
本発明の第８の態様の鉛筆削り１では、例えば図１、３および４に示すように、蓋ストッパー操作部５０、５２が、把持部２０に配置される。このように構成すると、蓋ストッパー操作部が把持部に配置されるので、片手で操作し易い。
【００１６】
本発明の第９の態様の鉛筆削り１では、例えば図９に示すように、蓋７０は、回動可能にケーシング１０に支持され、ケーシング１０には、開口４２の外周と隙間を有して開口４２を囲む溝１６が形成され、さらに、溝１６より外側の外面に窪み１４が形成され、また、蓋７０がケーシング１０に支持された位置から溝１６より離れたところに第２溝１５が形成され、蓋７０は開口４２より大きな板状に形成され、開口４２を囲む溝１６に嵌まる凸条部７６を有し、さらに、ケーシング１０の溝１６より外側の外面の窪み１４に嵌まる折り曲げ部７８を有し、また、第２溝１５に嵌まる第２凸条部７５を有する。このように構成すると、凸条部が溝に嵌まり、さらに、蓋の折り曲げ部が窪みに嵌まり、また第２凸条部が第２溝に嵌まることにより、削りカス収容部から削りカスが漏れることを防止できる。
【００１７】
本発明の第１０の態様の鉛筆削り１では、例えば図３に示すように、蓋７０は、削り部３０を挟んで把持部２０とは反対側に配置され、蓋ストッパー操作部５０、５２は、鉛筆が挿入される方向において、鉛筆削りの重心より片側にずれた位置に配置され、蓋７０は、鉛筆が挿入される方向において、蓋ストッパー操作部５０、５２が配置された位置と反対側の端部で回動可能に支持される。このように構成すると、把持部を掴んで鉛筆削りをゴミ箱等の上に持ってきて、蓋ストッパー操作部を操作することで、蓋を開いて削りカスを排出できるので、使い勝手がよい。さらに、蓋ストッパー操作部が配置された位置と反対側の端部で蓋が回動可能に支持されるので、削りカス収容部から削りカスを排出させるのに蓋が邪魔にならない。
【００１８】
本発明の第１１の態様の鉛筆削り１では、例えば図３および４に示すように、蓋７０を削りカス収容部４０の開口４２を開いた位置に付勢するバネ７７をさらに備える。このように構成すると、バネで蓋を開いた位置に付勢するので、削りカスを排出するときに、蓋が邪魔になることを防止できる。
【発明の効果】
【００１９】
本発明によれば、蓋ストッパー操作部に作用した力を、蓋ストッパー連係部を介して蓋または蓋ストッパーに伝達し、蓋ストッパーが蓋を削りカス収容部の開口を塞ぐ位置に留めることがないようにし、蓋を開くことができるので、簡易で軽量な構造で安価に、蓋を開いて削りカスを捨て易い鉛筆削りを提供することができる。
【図面の簡単な説明】
【００２０】
【図１】本発明の実施の形態としての電動鉛筆削りの斜視図である。
【図２】図１の電動鉛筆削りの蓋を開いたところである。
【図３】図１の電動鉛筆削りの内部の要部を示す透視側面図である。
【図４】図１の電動鉛筆削りの蓋を開く機構を示す斜視図である。
【図５】蓋ストッパー操作部およびその関連部分を示す部分斜視図である。
【図６】蓋ストッパー操作部およびその関連部分を示す分解斜視図である。
【図７】押圧防止板と押圧支持部を示す部分斜視図であって、押圧防止板が押圧支持部に支持された状態を示す。
【図８】押圧防止板と押圧支持部を示す部分斜視図であって、押圧防止板が押圧支持部に支持されない状態を示す。
【図９】図１の電動鉛筆削りの蓋を開いたところを下方から見た斜視図である。
【図１０】本発明の実施の形態としての手動鉛筆削りの斜視図である。
【図１１】図１０の手動鉛筆削りの蓋を開いたところである。
【図１２】図１０の電動鉛筆削りの蓋を開く機構を示す斜視図である。
【図１３】本発明の実施の形態としての縦型電動鉛筆削りの斜視図である。
【図１４】図１３の縦型電動鉛筆削りの蓋を開いたところである。
【発明を実施するための形態】
【００２１】
以下、図面を参照して、本発明の実施の形態について説明する。なお、各図において、互いに同一または相当する装置には同一符号を付し、重複した説明は省略する。図１は、本発明の実施の形態としての電動鉛筆削り１の斜視図である。図２は、電動鉛筆削り１の削りカスを排出するために蓋７０を開いたところを示す斜視図である。図３は、電動鉛筆削り１の内部の要部を示す透視側面図である。電動鉛筆削り１は、図１に示す姿勢で卓上に置かれて使用されるのが一般的であり、以降の説明でも、特に姿勢の説明がない限り、そのように卓上に置かれているものとする。
【００２２】
電動鉛筆削り１は、鉛筆挿入孔３２から鉛筆を挿入すると回転し、鉛筆を削る刃（不図示）を有する削り部３０を備える、削り部３０は、鉛筆を削るための刃や、刃を回転させるモータ（不図示）等を有するが、削り部３０は公知の構造であるので、詳細な説明は省略する。電動鉛筆削り１では、鉛筆挿入孔３２から鉛筆を水平方向に挿入する。なおここで、「水平方向」とは厳密な水平ではなく、縦型電動鉛筆削りと区別できる程度に水平方向であればよく、たとえば水平面に対し４５°以内であればよい。
【００２３】
削り部３０はケーシング１０により支持される。なお、削り部３０として一まとまりで支持される必要はなく、例えば、鉛筆を削るための刃とモータとは別々に支持されてもよい。また、「ケーシング１０に支持される」という場合に、ケーシング１０が内部に支持構造を備え、削り部３０を支持する場合も含む。ケーシング１０は、電動鉛筆削り１の外周を覆い、内部構造を支持する。ケーシング１０は、底部を下部ケーシング１１として取り外し可能な構造とすると、製造時に削り部３０の内部への収納、および、メンテナンス時に削り部３０へのアクセスが可能となり、好ましい。また、ケーシングの上部に片手で持ち易い把手２０を形成すると、削りカスを捨てる際に片手で作業し易く好ましい。把手２０は、ケーシング１０上部の全長に形成されず、片手の大きさに適した長さに形成されてもよい。電動鉛筆削り１では、鉛筆挿入孔３２が形成された側に形成される。なおここで、把手２０が形成されるケーシング１０の「上部」とは、削り部３０より上方、すなわち、削り部３０の重心位置より上方を指すが、好ましくは、ケーシング１０の頂部である。
【００２４】
ケーシング１０の内部に、削り部３０の刃で削られた鉛筆の削りカスを収容するための削りカス収容部４０が形成される。削りカス収容部４０は、削り部３０の刃に連通し削りカスを収容する空間を画定する壁であり、削り部３０の刃等は該空間に配置されてもよい。削りカス収容部４０の底部は開口４２とされる。ケーシング１０には、削りカス収容部４０の内部を視認するために透明に形成されたのぞき窓１２が形成されるのが好ましい。なお、削りカス収容部４０は、ケーシング１０と一体に形成されてもよい。
【００２５】
電動鉛筆削り１は、開口４２を塞ぐための板状の蓋７０を有する。蓋７０には蓋支持部７９が面外に突出し、蓋支持部７９を介してケーシング１０に回動可能に接続される。蓋７０がケーシング１０に回動可能に支持されることにより、蓋７０は自重により開くことが可能になる。さらに図４に示すように、蓋７０を開く方向に付勢するバネ７７を備えてもよい。バネ７７で蓋７０を開く方向に付勢すると、蓋７０は蓋支持部７９を介して回動するので、図２に示すように蓋７０がケーシング１０に当たる位置に留まる。なお、蓋７０は、例えばケーシング１０に形成された溝によりスライド可能に支持されてもよい。蓋７０がスライド可能に支持される場合には、例えばバネによる付勢力により開くように構成する。
【００２６】
蓋７０の削りカス収容部４０側の面には、変形可能な軸部７２が固定される。軸部７２は、曲げ変形可能な円柱あるいは角柱でよい。軸部７２の先端、すなわち、蓋７０からの遠位端には、ケーシング１０と係合する爪７４が固定される。軸部７２と爪７４とは一体で成形されてもよい。さらに蓋７０と一体に成形されてもよい。軸部７２と爪７４とで、蓋ストッパーを構成できる。なお、「蓋ストッパーが動かされる」という場合、軸部７２が変形して爪７４が動かされることを含む。爪７４は、軸部７２の軸直交方向に軸部７２より広い面を有することにより、ケーシング１０と係合する。すなわち、図９に示すように、ケーシング１０の底面に軸部７２と爪７４とが通る穴と、爪７４が係合する面を有する蓋係止部１８を形成する。蓋７０を閉じると、爪７４と軸部７２は穴を通過し、ケーシング下部１１の裏側に形成された面と係合する構成とすることができる。詳細には、爪７４が面と係合する際には、軸部７２を変形させながら面の位置を通過し、爪７４が係合する面に至ると、軸部７２の変形を少なくするように爪７４が動くことにより、爪７４は蓋係止部１８の面と係合する。すなわち、ケーシング１０と係合する。ケーシング１０と係合する蓋ストッパーは、軸７２と爪７４には限られず、公知の構成でよい。
【００２７】
なお、蓋７０を削りカス収容部４０の開口４２を塞ぐ位置に留める蓋ストッパーは、蓋７０に固定された変形可能な軸部７ケーシング１０と係合する爪７４との構成には限られない。例えば、蓋７０とケーシング１０に互いに引き合う磁石（不図示）を配置し、磁力で蓋７０を削りカス収容部４０の開口４２を塞ぐ位置に留めてもよい。その他、公知の構成で蓋７０を削りカス収容部４０の開口４２を塞ぐ位置に留めることでよい。
【００２８】
続いて、図４も参照して、爪７４と蓋係止部１８との係合を解除するための機構について説明する。爪７４の軸部７２の先端側の面と反対側の面、すなわち、係合する面と相対する面は、軸部７２の軸方向に対し傾斜する傾斜面として形成される。傾斜面は、爪７４の係合を解除する方向が高く形成される。すなわち、傾斜面を下方に押されると、爪７４には係合を解錠する方向に動かす分力が生ずる。
【００２９】
ケーシング１０の上部、本実施の形態では把持部である把手２０に、押しボタン５０が配置される。押しボタン５０は、蓋７０を回動可能にするための力であって、爪７４に作用してケーシング１０との係合を解除させる力を得る蓋ストッパー操作部を構成する。
【００３０】
押しボタン５０の下方には、一端が回転可能に支持され、他端が回転する押圧梁５８が配置される。押圧梁５８が回転して下方に移動する先には、蓋ストッパー連係上部６０および蓋ストッパー連係下部６２が配置される。蓋ストッパー連係上部６０は、押圧梁５８の下方を向いた端部と接触する端部を有する鉛直方向を向いた軸と、その軸の先端で二股に分かれて下方に向けて延在する２本の軸とを有する。蓋ストッパー連係上部６０の２本の軸のそれぞれの下端に、リブを有する鉛直方向を向いた軸である蓋ストッパー連係下部６２が配置される。蓋ストッパー連係下部６２の下端６６は、爪７４の傾斜面の直上に位置する。なお、蓋ストッパー連係上部６０と蓋ストッパー連係下部６２とは一体に形成されても、それぞれを形成後に繋げてもよい。それぞれの蓋ストッパー連係下部６２には、蓋ストッパー連係下部６２を上方に付勢するバネ６４が配置される。
【００３１】
押しボタン５０が下方に押されると、押圧梁５８を押し下げる。押圧梁５８が支持された端部を中心に僅かに回動することにより、下方を向いた端部が蓋ストッパー連係上部６０および蓋ストッパー連係下部６２を下方に押す。そのために、蓋ストッパー連係下部６２の下端６６は、爪７４の傾斜面を下方に押す。傾斜面を下方に押されることにより、爪７４はケーシング１０との係合を解除する方向に動く。よって、押しボタン５０を下方に押すことにより、爪７４とケーシング１０との係合を解除できる。なお、押しボタン５０を下方に押す力がなくなると、バネ６４の付勢力により、蓋ストッパー連係下部６２、蓋ストッパー連係上部６０および押圧梁５８は上方に持ち上げられ、爪７４を下方に押す力もなくなる。また、押しボタン５０も押される前の元の位置に戻る。
【００３２】
ここで、押圧梁５８、蓋ストッパー連係上部６０および蓋ストッパー連係下部６２は、押しボタン５０、すなわち蓋ストッパー操作部に作用した力を蓋ストッパーである爪７４に伝達する蓋ストッパー連係部を構成する。なお、蓋ストッパー操作部と蓋ストッパー連係部が一体に形成されてもよい。例えば、押圧梁５８と蓋ストッパー連係上部６０および蓋ストッパー連係下部６２が一体に形成されても、他の要素が一体に形成されてもよい。蓋ストッパー連係上部６０が二股に分かれ、蓋ストッパー連係下部６２が２本となることにより、ケーシング１０内に削り部３０を収容する空間を確保できる。また、蓋７０を２箇所でケーシング１０に係止することで、しっかりと蓋７０を開口４２を塞ぐ位置に留めることができる。なお、蓋７０を係止するのは、１箇所でも３箇所以上でもよい。１箇所でも係合する幅の長い爪７４を用いると、しっかりと蓋７０を開口４２を塞ぐ位置に留めることができる。
【００３３】
なお、蓋７０とケーシング１０に互いに引き合う磁石を配置し、磁力で蓋７０を削りカス収容部４０の開口４２を塞ぐ位置に留めた場合には、蓋ストッパー連係具としては、たとえばケーシング側の磁石（不図示）を蓋側の磁石と引き合う位置からずらして離すことで、あるいは、引っ込めて離すことで、互いの磁力の影響を弱め、蓋７０を削りカス収容部４０の開口４２を塞ぐ位置に留めることがないようにできる。あるいは、蓋ストッパー連係具で蓋７０を押し開け、磁石の距離を離すことで、互いの磁力の影響を弱め、蓋７０を削りカス収容部４０の開口４２を塞ぐ位置に留めることがないようにできる。
【００３４】
次に図５〜８をも参照して、蓋ストッパー操作部の詳細を説明する。図５は押しボタン５０とその関連部分を、把手２０を長手方向中央面で切断して示す斜視図である。図６は、図５に示す押しボタン５０、押圧防止板５２、押圧梁５８および中央面で切断された把手２０の分解斜視図である。押しボタン５０は、円盤状で中央が窪み、中央に貫通部が形成された上部と、押圧梁５８上での座りを良くし、後述する押圧防止板５２のバネ部５３の端部を拘束する下部とを有する。押しボタン５０の上部のみが把手２０、すなわちケーシング１０から突出し、下部は把手２０の内部に配置される。
【００３５】
押しボタン５０の直下に押圧防止板５２が配置される。押圧防止板５２は、押しボタン５０と押圧梁５８の間で、上下方向には押しボタン５０と一緒に変位するが、水平方向にはスライド可能である。具体的には、把手２０の長手方向にスライド可能で、短手方向には把手２０に挟まれスライドはしない。押圧防止板５２は、押しボタン５２の上部の中央に形成された貫通部を貫通して、窪みの中に突出する押圧防止板突起５５を有する。
【００３６】
ここで、図７および図８を参照して、押圧防止板５２の機能について説明する。図７に示すように、押圧防止板５２は、把手２０に形成された押圧支持部５６により支持され、通常は下方には変位できない。押圧支持部５６は、把手２０の内側の下面から上方に突出し、側面にも繋がるように形成されているが、底面から突出する柱状であってもよい。押圧防止板５２には切欠き５４が形成されている。なお、押圧支持部５６が柱状であるときには、押圧防止板５２には切欠き５４の代わりに穴（不図示）が形成される。押圧防止板５２をスライドすることにより、図８に示すように、切欠き５４が押圧支持部５６の位置へと動く。よって、押圧防止板５２は、押圧支持部５６に支持されなくなり、下方に変位できるようになる。すなわち、押しボタン５０を押して、蓋ストッパー、具体的には爪７４を動かしてケーシング１０との係合を解除し、蓋７０を開くことができるようになる。すなわち、押圧防止板５２と押圧支持部５６で、押しボタン５０が誤作動により押されてしまうことを防止する押圧防止具を構成できる。
【００３７】
押圧防止板５２は、押圧防止板５２がスライドする方向に曲折しながら延在するバネ部５３を有する。典型的には、押圧防止板５２をＡＢＳ樹脂等のプラスチック製として、バネ部５３は押圧防止板５２と一体で成形される。しかし、バネ部５３は押圧防止板５２と別体で形成されて固着されてもよい。さらに、バネ部５３は、弦巻バネ等、他の公知のバネであってもよい。バネ部５３の先端は押しボタン５０の下部により動きを拘束される。そこで、押圧防止板５２をスライドさせても、スライドさせる力がなくなると、バネ部５３の復元力により元の位置、すなわち、押圧防止板５２が押圧支持部５６により支持されて下方に変位できない位置に戻る。
【００３８】
このように、蓋ストッパー操作部を、押しボタン５０、押圧防止板５２で構成することにより、蓋７０を開くときには、押しボタン５０の中央の押圧防止板突起５５を把手２０の長手方向に押して、押圧防止板５２が押圧支持部５６に支持されない位置にスライドする。その上で、押しボタン５０を押下して、爪７０とケーシング１０との係合を解除する。押圧防止板５２をスライドさせない限り、押しボタン５０を押下しようとしても出来ない。よって、意図しないで押しボタン５０を押して蓋７０が開いてしまう誤作動を防止できる。
【００３９】
次に図９をも参照して、蓋７０が削りカス収容部４０の開口４２を塞ぐための詳細について説明する。ケーシング１０（詳細には、下部ケーシング１１）の底面において、蓋７０と重なる部分は、重ならない部分より後退した面とされる。そのために、蓋７０を閉じたときに、電動鉛筆削り１を卓上に置いたときの底面は蓋７０の外面とケーシング下部１１の面とで構成されるが、一つの平らな面となる。ケーシング１０の蓋７０と重なる底面に、開口４２の外周と隙間を有して開口４２を囲む溝１６が形成される。さらにケーシング１０の側面において、蓋７０と重なる底面と繋がる部分に窪み１４を形成する。すなわち、ケーシング１０に段差を形成する。また、底面において、蓋７０の回動中心から溝１６より離れたところに第２溝１５が底面の幅方向を横断して形成される。蓋７０には、溝１６に嵌まる凸条部７６を形成し、さらに、蓋の両側を折り曲げて折り曲げ部７８を形成し、また、第２溝１５に嵌まる第２凸条部７５を形成する。折り曲げ部７８は、ケーシング１０の側面の窪み１４に嵌まる。
【００４０】
このように構成すると、蓋７０とケーシング１０とは、蓋７０がケーシングの底面に密着するだけではなく、凸条部７６が溝１６に嵌まることにより、削りカス収容部４０から削りカスが漏れることを防止できる。さらに、蓋７０が回動するときに動きが大きく隙間を生じ易い両側と回動中心からの遠位側で第２凸条部７５が第二溝１５に嵌まり、両側では折り曲げ部７８が窪み１４に嵌まることにより、削りカス収容部４０から削りカスが漏れることを防止できる。このように、二重に漏れを防止することにより、鉛筆芯の削り粉などの小さなゴミの漏れまでを防止することができる。
【００４１】
このように構成した電動鉛筆削り１は、以下のように使用できる。把手２０を掴んでゴミ箱の上に電動鉛筆削り１を持ってきて、押圧防止板５２をスライドさせつつ、押しボタン５０を押すことで、蓋７０を開いて削りカスを排出できるので、使い勝手がよい。特に、把手２０と蓋７０が削り部３０を挟んで反対側にあるため、把手２０を掴んで下方向に削りカスを排出できるので、使い勝手がよい。また、押しボタン５０、押圧防止板５２等の蓋ストッパー操作部が把手２０に配置されているので、片手で電動鉛筆削り１を持ち、かつ、蓋７０を開くことができる。
【００４２】
特に、図１〜３に示すように、電動鉛筆削り１の鉛筆挿入孔３２側に把手２０が形成され、蓋ストッパー操作部が鉛筆挿入孔３２とは反対側に配置されるので、鉛筆を削る際に鉛筆を持つ利き手で、把手２０を掴み、利き手の親指で押圧防止板５２をスライドさせて押しボタン５０を押し易く、片手で使い易い。その際に、蓋７０が鉛筆挿入孔３２側でケーシング１０により支持されて回動するので、削りカス収容部４０から削りカスを排出させるのに蓋７０が邪魔にならない。すなわち、親指側を下に傾ければよいので、押しボタン５０を押したときの手の位置のままで、削りカスを排出させ易い。なお、蓋７０はバネ７７で付勢されているので、開いたままの位置に留まる。
【００４３】
また、電動鉛筆削り１によれば、蓋ストッパー操作部（押しボタン５０）に作用した力を、蓋ストッパー連係部５８、６０、６２を介して蓋ストッパー（爪７４）に伝達し、蓋ストッパーを動かして（軸部７２を変形させて）、蓋ストッパー（爪７４）とケーシング１０との係合を解除し、蓋７０を開くことができるので、簡易で軽量な構造で安価に、蓋７０を開いて削りカスを捨て易い電動鉛筆削りを提供することができる。
【００４４】
なお、蓋ストッパー操作部、蓋ストッパー連係部、蓋ストッパーの構造は、上記の構造に限定されない。蓋ストッパー操作部は、スライド式ボタンでもレバーでもよい。蓋ストッパー連係部は、蓋ストッパー操作部に作用した力を蓋ストッパーに伝えるための公知の構造でよく、１本の部材で構成されても、ゴムベルトとプーリを用いる構造でもよい。蓋ストッパーは、ケーシング１０と係合することにより蓋７０を開口４２を塞ぐ位置に留める構造であればよく、例えばスライドする爪であってもよい。
【００４５】
また、電動鉛筆削り１を持つための把持部は、把手２０として構成されずに、例えば、持ち易いように窪んだ形状あるいは、窪んだ部分に凹凸を付けて掴み易くした形状としてもよく、把持するための公知の形状であってもよい。また、把持部の位置も、限定されないが、削り部３０より上方にあると、重い削り部の重心より上方で電動鉛筆削り１を持つことになるので、安定する。さらに、把持部が頂部に形成されると、上から電動鉛筆削り１をつかめるので、掴み易い。また、電動鉛筆削り１では、蓋ストッパー操作部（押しボタン５０、押圧防止板５２）は、把手２０に配置されたが、蓋ストッパー操作部の位置は特に限定されない。ただし、蓋ストッパー操作部も削り部３０より上方に設けられると、電動鉛筆削り１を持った手で、蓋ストッパー操作部を操作できるので、片手で操作できて好適である。蓋ストッパー操作部が把持部に配置されると、さらに操作し易くなる。
【００４６】
次に、図１０〜１２を参照して、本発明の第２の実施の形態としての手動鉛筆削り２について説明する。手動鉛筆削り２の構成は、電動鉛筆削り１と共通する部分が多いので、電動鉛筆削り１と相違する点についてのみ説明する。手動鉛筆削り２では、削り部３０にモータ等を備えず、ハンドル連結部３４を備える。ハンドル連結部３４には、ケーシング１０の外部に位置するハンドル８０が連結し、ハンドル８０を手動で回転することにより、削り部３０の刃を回転する。そのために、削り部３０を小さくでき、手動鉛筆削り２を全体として小さくできる。よって、手動鉛筆削り２では、把手２０がケーシング１０の上部の全長に形成される。また、片手で鉛筆を鉛筆挿入孔３２に挿入し、他の手でハンドル８０を回すため、使用者は手動鉛筆削り２の側面に位置することが普通である。そこで、のぞき窓１２はケーシングの側面に設けられる。
【００４７】
通常は、ハンドル８０を利き手で回すので、利き手で把手２０を掴んだときに、蓋ストッパー操作部（押しボタン５０、押圧防止板５２）をハンドル８０側に配置し、親指で蓋ストッパー操作部を操作し易くする。また、蓋７０は鉛筆挿入孔３２側でケーシング１０に回動可能に支持されるようにし、手動鉛筆削り２の削りカス収容部から削りカスを捨て易くするのがよい。
【００４８】
手動鉛筆削り２では、削り部３０が小さいので、蓋ストッパー連係部５８、６０、６２の構造を変更することができる。押圧梁５８は、電動鉛筆削り１の場合と同様であるが、蓋ストッパー連係上部６０の二股に分かれた２つの下部を繋ぐ蓋ストッパー連係補強部６１を有する。蓋ストッパー連係補強部６１で蓋ストッパー連係上部６０の二股に分かれた２つの下部を繋ぐことにより、蓋ストッパー連係上部６０の変形が抑えられ、蓋ストッパー連係下部６２の構造をシンプルに、すなわちリブ等を省略することができる。
【００４９】
次に、図１３および１４を参照して、本発明の第３の実施の形態としての縦型電動鉛筆削り３について説明する。縦型電動鉛筆削り３の構成は、電動鉛筆削り１と共通する部分が多いので、電動鉛筆削り１と相違する点についてのみ説明する。縦型鉛筆削り３では、ケーシング１０が略円柱形を有し、図１３に示すような姿勢で、その１端面を卓上に載せて使用する。鉛筆挿入孔３２は、他端面に配置される。よって、鉛筆(不図示)を鉛直方向に向けて、鉛筆挿入孔３２に挿入する。
【００５０】
略円柱形のケーシング１０は、下方に行くにつれ太くなり、またある高さより上では、上方に行くにつれ太くなる。下方で太くなることにより、卓上との接地面積が広くなると共に、重量の大きなモータ等を下方に納めやすくなり、使用時に安定する。また、上方で太くすることにより掴み易くなる。すなわち、徐々に太くなる上方が把持部となる。
【００５１】
縦型電動鉛筆削り３では、蓋ストッパー操作部は側面に配置される。すなわち、縦型電動鉛筆削り３の上方を掴んだときに、操作し易い位置に配置するのが好ましい。蓋ストッパー連係部（不図示）では、押しボタン５０を押す水平向きの力を、垂直向きに変換し、蓋ストッパー（軸７２、爪７４）を動かしてケーシングとの係合を解除し、蓋７０を開く。このような蓋ストッパー連係部は、公知の構造でよい。なお、蓋ストッパー操作部は上面（鉛筆挿入孔３２が配置される面）に配置されてもよい。蓋ストッパー操作部を上面に配置すると、電動鉛筆削り１で説明したような蓋ストッパー連係部を用いることができる。
【００５２】
縦型電動鉛筆削り３（のケーシング１０）の形状は略円柱形に限られず、四角柱、多角柱、楕円柱等、任意の形状でよい。また、下方や上方が太く形成されなくても、中央が太く形成されてもよい。表面に凹凸を付けることにより把持部としてもよい。
【００５３】
電動鉛筆削り１または縦型電動鉛筆削り３は、例えばリチウムイオン充電池をさらに有する充電式鉛筆削りであってもよい。
【符号の説明】
【００５４】
１  電動鉛筆削り
２  手動鉛筆削り
３  縦型電動鉛筆削り
１０  ケーシング
１１  下ケーシング
１２  のぞき窓
１４  窪み
１５  第２溝
１６  溝
１８  蓋係止部
２０  把手（把持部）
３０  削り部
３２  鉛筆挿入孔
３４  ハンドル連結部
４０  削りカス収容部
４２  開口
５０  押しボタン（蓋ストッパー操作部）
５２  押圧防止板（蓋ストッパー操作部）
５３  バネ部（蓋ストッパー操作部）
５４  切欠き（蓋ストッパー操作部）
５５  押圧防止板突起
５６  押圧支持部
５８  押圧梁（蓋ストッパー連係部）
６０  蓋ストッパー連係上部（蓋ストッパー連係部）
６１  蓋ストッパー連係補強部（蓋ストッパー連係部）
６２  蓋ストッパー連係下部（蓋ストッパー連係部）
６４  バネ
６６  蓋ストッパー連係部下端
７０  蓋
７２  軸部（蓋ストッパー）
７４  爪（蓋ストッパー）
７５  第２凸条部
７６  凸条部
７７  蓋を付勢するバネ
７８  折り曲げ部
７９  蓋支持部
８０  ハンドル
【図１】
2018187827.tif 000003
【図２】
2018187827.tif 000004
【図３】
2018187827.tif 000005
【図４】
2018187827.tif 000006
【図５】
2018187827.tif 000007
【図６】
2018187827.tif 000008
【図７】
2018187827.tif 000009
【図８】
2018187827.tif 000010
【図９】
2018187827.tif 000011
【図１０】
2018187827.tif 000012
【図１１】
2018187827.tif 000013
【図１２】
2018187827.tif 000014
【図１３】
2018187827.tif 000015
【図１４】
2018187827.tif 000016